(57)【要約】【課題】  衝撃や振動を受けてもメモリモジュールのロックが解除されることがない、信頼性の高いメモリモジュール用コネクタを提供する。【解決手段】  複数のコンタクトが設けられているハウジングと、前記ハウジングの左右両側に取り付けられる弾性変形可能な第１側壁部材と、前記第１側壁の内側に配置され、前記ハウジングに取り付けられる第２側壁部材と、前記第１側壁部材と前記第２側壁部材とをロック及び非ロック状態にすることができる結合部材と、を備えるメモリモジュール用コネクタであって、前記第１側壁部材は、その前端部近傍の上辺にラッチ爪が、その前端部に第１通路が設けられ、前記第２側壁部材は、前端部に前記第１側壁部材の前記第１通路に対応する第２通路が設けられ、前記結合部材は、前記第１側壁部材の前記第１通路から前記第２側壁部材の前記第２通路へ進入することにより、前記第１側壁部材と前記第２側壁部材とをロックする。【選択図】  図１
2006253021.tif 000002
【特許請求の範囲】
【請求項１】
複数のコンタクトが設けられているハウジングと、前記ハウジングの左右両側に取り付けられる弾性変形可能な第１側壁部材と、前記第１側壁部材の内側に配置され、前記ハウジングに取り付けられる第２側壁部材と、前記第１側壁部材と前記第２側壁部材とをロック及び非ロック状態にすることができる結合部材と、を備えるメモリモジュール用コネクタであって、
前記第１側壁部材は、その前端部近傍の上辺にラッチ爪と、その前端部に第１通路とが設けられ、
前記第２側壁部材は、前端部に前記第１側壁部材の前記第１通路に対応する第２通路が設けられ、
前記結合部材は、前記第１側壁部材の前記第１通路から前記第２側壁部材の前記第２通路へ進入することにより、前記第１側壁部材と前記第２側壁部材とをロックする、
ことを特徴とするメモリモジュール用コネクタ。
【請求項２】
前記結合部材は、前記第１通路に移動自在に支持されていることを特徴とする請求項１に記載のメモリモジュール用コネクタ。
【請求項３】
前記第２側壁部材は、その前端部近傍の下辺に基板固定部材が設けられていることを特徴とする請求項１に記載のメモリモジュール用コネクタ。
【請求項４】
前記第２側壁部材は、その上辺にメモリモジュールに形成されている凹部に係合する突出片が設けられていることを特徴とする請求項１に記載のメモリモジュール用コネクタ。
【請求項５】
前記第１側壁部材の前記第１通路には、さらに、係合爪が設けられ、前記結合部材には、前記第１通路に設けられている係合爪が係合する係止凹部が設けられていることを特徴とする請求項１に記載のメモリモジュール用コネクタ。
【発明の詳細な説明】
【技術分野】
【０００１】
本発明は、メモリモジュール用コネクタに関し、より詳細には、コネクタへのメモリモジュールの取り付け、取り外しを確実及び容易にしたメモリモジュール用コネクタに関する。
【背景技術】
【０００２】
従来のメモリモジュール用コネクタにおいては、メモリモジュールをコネクタに対して挿抜するに際し、特許文献１に開示されるようなラッチ機構を介して行われることが知られている。このラッチ機構は、メモリモジュールをコネクタに固定する場合、メモリモジュールが弾性変形可能な一対のラッチの間に上から押し込まれ、結果として、メモリモジュールが一対のラッチ間に挟み込まれることにより、メモリモジュールがコネクタにロックされる構成を有する。また、メモリモジュールをコネクタから取り外すには、一対のラッチの先端部に設けられている解除金具を利用して、該一対のラッチを開くことでロックを解除し、メモリモジュールをコネクタから取り外すことができる。
【０００３】
【特許文献１】特開平９−２６６３８９号公報
【発明の開示】
【発明が解決しようとする課題】
【０００４】
ところで、上記ラッチ機構においては、一対のラッチ各々の一端が、コネクタに連結されているが、他端は、自由になっている。すなわち、メモリモジュールは、ラッチの弾性力のみによって固定されている。このような構成であると、コネクタが衝撃や振動を受けると、ラッチが移動して、メモリモジュールのロックが解除され、それにより、コネクタが装着されている印刷回路基板とメモリモジュールとの間の電気的接続が絶たれてしまう恐れがある。
【０００５】
本発明の目的は、上記問題点に鑑み、衝撃や振動を受けてもメモリモジュールのロックが解除されることがない、信頼性の高いメモリモジュール用コネクタを提供することにある。
【課題を解決するための手段】
【０００６】
上記目的を達成するために、本発明に係るメモリモジュール用コネクタは、複数のコンタクトが設けられているハウジングと、前記ハウジングの左右両側に取り付けられる弾性変形可能な第１側壁部材と、前記第１側壁部材の内側に配置され、前記ハウジングに取り付けられる第２側壁部材と、前記第１側壁部材と前記第２側壁部材とをロック及び非ロック状態にすることができる結合部材と、を備えるメモリモジュール用コネクタであって、前記第１側壁部材は、その前端部近傍の上辺にラッチ爪と、その前端部に第１通路とが設けられ、前記第２側壁部材は、前端部に前記第１側壁部材の前記第１通路に対応する第２通路が設けられ、前記結合部材は、前記第１側壁部材の前記第１通路から前記第２側壁部材の前記第２通路へ進入することにより、前記第１側壁部材と前記第２側壁部材とをロックすることを特徴とする。
【０００７】
また、前記結合部材は、前記第１通路に移動自在に支持されていることが好ましく、前記第２側壁部材は、その上辺にメモリモジュールに形成されている凹部に係合する突出片が設けられ、その前端部近傍の下辺に基板固定部材が設けられていることが好ましい。
さらに、前記第１側壁部材の前記第１通路には、さらに、係合爪が設けられ、前記結合部材には、前記第１通路に設けられている係合爪が係合する係止凹部が設けられていることが好ましい。
【発明の効果】
【０００８】
本発明に係るメモリモジュール用コネクタは、変形可能な第１側壁部材、固定支持される第２側壁部材及び結合部材を備えることにより、衝撃や振動を受けてもメモリモジュールのロックが解除されることがない。
【０００９】
さらに、結合部材を備えることで、ロックするときの操作に変わりがないばかりか、さらにロック解除のときの第１側壁部材の変形のための操作力が小さくて済み、操作が簡単にできる。
【発明を実施するための最良の形態】
【００１０】
以下、本発明の実施態様について、図１ないし８を用いて詳細に説明する。
【００１１】
図１は、本発明に係るメモリモジュール用コネクタの全体図を示す斜視図であり、該コネクタは、印刷回路基板に取付けられている。図２は、メモリモジュールの斜視図である。図３は、メモリモジュールを図１のコネクタに装着する動作を説明するための図であり、（ａ）は、メモリモジュールがコネクタのコンタクトに接触する前の状態、メモリモジュールがコンタクトと接触した直後の状態、（ｃ）は、メモリモジュールをコネクタにロックする直前の状態を示す。図３は、図３と同様に、メモリモジュールをコネクタに装着する動作を説明するための部分拡大図であり、（ａ）は、メモリモジュールのコネクタへのロック直前の状態、（ｂ）は、メモリモジュールに当たって、第１側壁部材が変形している状態、（ｃ）は、結合部材押し込み途中の状態、（ｄ）は、ロック完了状態を示す。図５は、結合部材の押し込みを説明するための部分拡大斜視図であり、（ａ）は、押し込む前の状態、（ｂ）押し込み直後の状態を示す。図５において、理解を容易にするために、メモリモジュールは削除されている。図６は、結合部材の斜視図、図７は、第１側壁部材の斜視図、図８は、第２側壁部材の斜視図であり、図９は、コンタクトの斜視図である。
【００１２】
本発明に係るメモリモジュール用コネクタ１は、図２に示されるメモリモジュール６０を印刷回路基板５０の印刷回路に電気的に接続するためのコネクタであって、印刷回路基板５０上に取り付けられている。
【００１３】
最初に、メモリモジュール６０の構造に付き説明する。本実施態様において、メモリモジュール６０は、図２に示されるように、幅Ｗ、長さＬ、厚さＴの横長の略直方体を成しており、後方（図１において、−Ｘ方向）に向けて突出形成されている薄板状の縁部６３に複数の外部接点６１が平行に配列されている。複数の外部接点６１の間に、逆差防止キー６４が設けられている。逆差防止キー６４は、平行に配列された複数の外部接点６１の中心以外の位置に設けられる。縁部６３は、メモリモジュール６０の左右側部にも延在して形成され、左右側部の適宜位置に円弧状を成す凹部６２が形成される。該凹部６２は、メモリモジュール６０がコネクタ１に装着されたとき、後述する第２側壁部材３０の円弧状突出片３４と係合し、該メモリモジュール６０を所定の位置に位置決めする機能を有する。
【００１４】
メモリモジュール用コネクタ１は、ハウジング１０、該ハウジング１０内に互いに平行に取付けられ、メモリモジュール６０の外部接点６１に対応する複数のコンタクト１１、ハウジング１０の左側面部１３と右側面部１４に取り付けられる第１側壁部材２０、第１の側壁部材２０の内面側に沿って配設され、半田付け部３７を介して印刷回路基板５０に固定される第２側壁部材３０、及び第１側壁部材２０及び第２側壁部材３０を結合し得る結合部材４０を含んでいる。
【００１５】
ハウジング１０は、絶縁性の合成樹脂製であり、略直方体形状を成し、前方（図１において、＋Ｘ方向）に向けて複数のコンタクト１１が平行に配列され、固定されている。また、メモリモジュール６０に設けられている逆差防止キー６４に対応するキー係合孔１５が複数のコンタクト１１の間に形成されている。また、ハウジング１０の左側面部１３及び右側面部１４には、メモリモジュール６０をロックし、固定するための第１側壁部材２０と、第１側壁部材の内面側に沿って配設され、半田付け部３７を介して印刷回路基板５０に固定される第２側壁部材３０とがそれぞれ取付けられている。
【００１６】
複数のコンタクト１１は、ハウジング１０内に平行に形成されている溝（不図示）に固定されている。コンタクト１１の形状は、図９に示されるように、上方を向いているメモリモジュール６０の外部接点６１に接触する接点部１１ａ、接点部に続く略Ｕ字形状に形成されている弾性変形部１１ｂ、ハウジング１０の溝内に圧入され、コンタクト１１をハウジング１０内に固定する固定部１１ｃ、及び、該固定部１１ｃから略直角に折り曲げられ、下方に延在する、回路基板５０の外部接点（不図示）に半田付けなどにより接続される端子部１１ｄを含んでいる。本実施態様におけるコンタクト１１は、このように構成されているので、ハウジング１０前方からコンタクト１１を取り付けることができる。コンタクト１１の構造はこれに限られるものではなく、例えば、ハウジング１０を前後方向に貫通し、端子部１１ｄがハウジング１０後方（図１において、−Ｘ方向）に位置するような構造であってもよい。
【００１７】
続いて、第１側壁部材２０に付き説明する。第１側壁部材２０は、その一端部がハウジング１０の左右側面部１３、１４に取付けられるとともに、その自由端が左右に開くことができる部材である。第１側壁部材２０は、金属製であってもよいし、例えば合成樹脂などのような材料から成っていてもよい。
第１側壁部材２０は、１枚の板からプレス加工などにより折り曲げ形成されることが好ましい。第１側壁部材２０は、図７に示されるように、圧入片２１ａ、２１ｂを有する固定部２１、該固定部２１前方に延在する弾性変形部２２、該弾性変形部２２の先端近傍であって、その上辺に設けられているラッチ爪２３、弾性変形部２２の下辺に設けられているストッパ２４、及び弾性変形部２２の先端部に形成される支持枠２５を含んでいる。
【００１８】
本実施態様における固定部２１の圧入片２１ａ、２１ｂは、それぞれ固定部２１の上辺及び下辺から略Ｌ字状を成して上方（図１において、＋Ｚ方向）に突出する部材を該固定部２１に対して直角を成して折り曲げられることにより形成されている。該圧入片２１ａ、２１ｂは、ハウジング１０の左右側面部１３、１４の前面側に、圧入片２１ａ、２１ｂに対応して設けられている取付孔（不図示）に圧入される。圧入片２１ａ、２１ｂの取付孔への圧入により、固定部２１がハウジング１０の側面に密接し、それにより、第１側壁部材２０がハウジング１０に組み込まれる。したがって、固定部２１及びこれに続く弾性変形部２２は、ハウジング１０が印刷回路基板５０に取付けられたとき、該印刷回路基板５０に対し略直角を成すようにハウジング１０に組み込まれる。
本実施態様においては、第１側壁部材２０をハウジング１０に取付けるのに、平坦な固定部２１と圧入片２１ａ、２１ｂを利用しているが、これに限られるものではない。圧入片のない平坦な固定部を直接ハウジング側面に接着またはネジのような固定手段で取り付けるようにしてもよい。
弾性変形部２２は、上記固定部２１に続いて固定部２１前方に延在する部分であり、固定部２１と反対側の端部は、自由端であり、したがって、弾性変形部２２の自由端は、左右（図１において、±Ｙ方向）に開くことが可能なように構成される。
【００１９】
ラッチ爪２３は、上述したように、弾性変形部２２の先端近傍であって、該弾性変形部２２の上辺に設けられる。ラッチ爪２３は、本実施態様においては、弾性変形部２２上辺から上方に突出延在する部材を、内側に逆Ｕ字状に折り曲げることにより形成される。ラッチ爪２３の折り曲げられた内側片２３ａは、上方に向かって若干開くように傾斜して形成され、それにより、メモリモジュール６０の挿入を容易にする。内側片２３ａは、また、ハウジング１０の左右に設けられるラッチ爪２３、２３の内側片２３ａ、２３ａ先端部間の距離がメモリモジュールの幅Ｗより若干小さくなるように、内側に向かって突出するように折り曲げられている。このように構成することで、メモリモジュール６０が、一旦内側に突出するラッチ爪２３を乗り越えて該ラッチ爪２３の下方に入り込むと、該メモリ爪２３を外側に移動させない限り、メモリモジュール６０は、コネクタ１から取り出すことができなくなる。
本実施態様においては、ラッチ爪２３を、弾性変形部２２から延在する部材を折り曲げることにより形成しているが、これに限られるものではない。例えば、弾性変形部２２から上方に延在する部材に、上方に向かって開く傾斜面又は傾斜辺を有する部材を形成、接着又はネジのような固定手段で取付けてもよい。
【００２０】
ストッパ２４は、支持枠２５より後述する第２側壁部材３０の第２通路の長さより若干大きい長さ分後方（図１において、−Ｘ方向）であって（図５（ａ）、（ｂ）参照）、弾性変形部２２の下辺から下方（図１において−Ｚ方向）に延在する部材を、２段にいずれも略直角に折り曲げることで形成される。したがって、ストッパ２４の２段目の折り曲げ部分である先端折り曲げ部分２４ａは、弾性変形部２２に平行である。また、ストッパ２４の１段目の折り曲げ部分である水平折り曲げ部分２４ｂは、弾性変形部分２２及び先端折り曲げ部分２４ａと略直角を成す。水平折り曲げ部分２４ｂの長さは、弾性変形部２２の変形量を規制する。したがって、水平折り曲げ部分２４ｂの長さは、ラッチ爪２３が内側に突出している突出長さより大きい。
【００２１】
支持枠２４は、弾性変形部２２の先端部下片から下方に延在する部材を３段にいずれも直角に折り曲げることで形成される。それにより、後述する結合部材４０が前後方向（±Ｘ方向）に移動する断面矩形状の第１通路２８が形成される。弾性変形部２２に平行な支持枠２５の２段目の折り曲げ部分には、弾性的に変形可能な係合爪２７が、図７に示されるように、外側に向けて切り起こされ、それにより、２段目の折り曲げ部分には該窓２６が形成される。係合爪２７は、後述する係合部材４０の溝４５内を係合部材４０に対して相対的に移動する。
【００２２】
次に、第２側壁部材３０について説明する。第２側壁部材３０は、上述の第１側壁部材２０の内側に配置され、その一端は、ハウジング１０の左右側面部１３、１４の前面に固定され、他端は、コネクタ１が取り付けられる印刷回路基板５０に固定される。第２側壁部材３０も金属製であってもよいし、例えば合成樹脂などのような材料から成っていてもよい。また、第２側壁部材３０も、１枚の板から折り曲げ形成されることが好ましい。
第２側壁部材３０は、図８に示されるように、圧入片３１ａを有する固定部３１、その下辺で固定部３１と直角を成す側壁部３２、側壁部３２の上辺で固定部３１と平行に（すなわち、側壁部３２に対して直角に）折り曲げられ、固定部３１の上方に位置する支持縁部３３、側壁部の先端近傍で支持縁部３３と略平行に（すなわち、側壁部３２に対して直角に）折り曲げられ円弧状突出片３４、上枠３５、下枠３６及び半田付け部３７を含んでいる。
【００２３】
固定部３１は、後方に向けて延在する圧入片３１ａがハウジング１０前方に設けられている取付孔（不図示）に圧入されることにより、ハウジング１０に組み込まれる。該固定部３１は、ハウジング１０が印刷回路基板５０に取付けられたとき、該印刷回路基板５０と平行になるようにハウジング１０に組み込まれる。
【００２４】
側壁面３２は、印刷回路基板５０に平行に配置される固定部３１に対して、上方に直角に折り曲げられており、図８に示されるように、固定部３１前方に延在している。側壁面３２は、第２側壁部材３０がハウジング１０に組み込まれたとき、該側壁部３２の外側面が、通常、同じくハウジング１０に組み込まれた第１側壁部材２０の弾性変形部２２内側面に接するように、配置される。
【００２５】
支持縁３３は、側壁部３２の上辺で該側壁部３２に対して略直角に、すなわち固定部３１に平行に折り曲げられ、メモリモジュール６０の左右に延在する縁部６３を支持する。
【００２６】
円弧状突出片３４は、支持縁３３の前方で、該支持縁３３より若干上方に、該支持縁３３と平行に、すなわち側壁部３２に対して略直角を成して、側壁部３２上辺で折り曲げられている。円弧状突出片３４は、上述したように、メモリモジュール６０の左右に延在する縁部６３に設けられている円弧状凹部６２と係合し、コネクタ１におけるメモリモジュール６０の位置決めをする。
【００２７】
上枠３５及び下枠３６は、側壁部３２先端で、それぞれ該側壁部３２の上辺及び下辺から２段に折り曲げられ、後述する結合部材４０の末端部４４が出入りする第２通路３９を形成する。該第２通路３９は、上述した第１側壁部材２０に形成される第１通路２８に対応し、該第１通路２８後方に、これに連続するように配置される。なお、本実施態様では、第２通路３９を上枠３５と下枠３６とで形成したが、これに限られるものではなく、例えば、第１側壁部材２０の支持枠２５のように、側壁部３２から下方に延在する部材を３段に折り曲げることで形成されてもよい。
【００２８】
半田付け部３７は、固定部３１の前方に位置し、側壁部３２下辺から３段に折り曲げられて、該側壁部３２内側に延在する。半田付け部３７は、図８に示されるように、１段目の折り曲げは、内側に向かって、２段目の折り曲げは、下方に向かって、３段目の折り曲げは、再び内側に向かってそれぞれ直角を成すように折り曲げられる。したがって、３段目に折り曲げられた部分は、印刷回路基板５０に平行になっており、この３段目の折り曲げ部分が半田付けなどの手段により該印刷回路基板５０に固定される。したがって、この半田付け部３７は、第２側壁部材３０を印刷回路基板５０に固定する基板固定部材として機能する。
【００２９】
最後に、結合部材について説明する。該結合部材４０は、上述した第１側壁部材２０と第２側壁部材３０とを結合させ、すなわち、第１側壁部材２０の自由端である弾性変形部２２の先端を第２側壁部材３０にロックし、第１側壁部材２０の弾性変形部２２先端が左右に開くことを不可能とする部材である。より具体的には、結合部材４０は、通常、第１側壁部材２０の支持枠２５により形成される第１通路２８内に位置し、非ロック状態にある。そして、結合部材４０のロック時には、結合部材４０の末端部４４が、第２側壁部材３０の上枠３５及び下枠３６により形成される第２通路３９内に進入する。結合部材４０は、合成樹脂製であることが好ましいが、これに限られるものではない。
結合部材４０は、図６に示されるように、結合部材本体としての基端部４１と末端部４４、及び把手４２を備えている。
結合部材４０は、また、結合部材本体の基端部４１及び末端部にかけて、結合部材４０の内面側に細長い溝４５が形成されている。該溝４５は、前後方向（図１において、±Ｘ方向）に延在し、その後方端部に第１係止凹部４６が、該第１係止凹部４６の前方所定位置に第２係止凹部４７が形成されている。細長い溝４５内を上述した第１側壁部材２０の支持枠２５の係合爪２５が移動し、該第１係止凹部４６、及び第２係止凹部４７に該係合爪２７が嵌合することで、結合部材４０の移動が規制される。
さらに、基端部４１と末端部４４との間には、結合部材４０の外面側には段部４３が形成されている。すなわち、結合部材４０の末端部４４は、基端部４１に対して、第２側壁部材３０の側壁部３２の厚さ分だけ薄くなっている。
また、基端部４１前方端部には、外側に向けて把手４２が形成されることが好ましい。該把手４２は、結合部材４０の操作を容易にする。
【００３０】
以上のような構成を備えるメモリモジュール用コネクタ１は、コンタクト１１の端子部１１ｄ及び第２側壁部３０の半田付け部３７を介して印刷回路基板５０に固定される。このとき、第１側壁部材２０、第２側壁部材３０及び結合部材４０は、図５（ａ）に示されるような位置関係に配置される。
【００３１】
次に、印刷回路基板５０に装着されたメモリモジュール用コネクタ１にメモリモジュール６０を取り付ける操作、及び該コネクタ１からメモリモジュール６０を取り外す操作について説明する。
【００３２】
先ず、図３（ａ）に示されるように、メモリモジュール６０をコネクタ１の前方斜め上方から、その外部接点６１をコネクタイ１のコンタクト１１に向け、またメモリモジュール６０を傾斜させた状態で、図３（ｂ）に示されるように、コネクタ１に近づける。このとき、結合部材４０は、図５（ａ）に示されるように、第１側壁部材２０の係合爪２７が結合部材４０の第１係止凹部４６に係合し、結合部材４０の基端部４１が第１側壁部材２０の先端部（第１通路２８）から前方（図１において、＋Ｘ方向）に突出している非ロック状態にあることはいうまでもない。
【００３３】
図３（ｃ）に示されるように、メモリモジュール６０の逆差防止キー６４を対応するコネクタ１のキー係合孔１５に差し込むようにしてメモリモジュール６０の外部接点６１を対応するコンタクト１１に押し付けた後、この押し付け状態を維持しつつメモリモジュール６０を外部接点６１が設けられる縁部６３を中心として下方に向けて（図３（ｃ）において、反時計方向に）回転させる。
【００３４】
この回転動作が進むと、図４（ａ）に示されるように、メモリモジュール６０の左右に延在する縁部６３が、第１側壁部材２０のラッチ爪２３の傾斜した内側片２３ａに当接する。さらに、メモリモジュール６０の回転が進むと、第１側壁部材２０のラッチ爪２３がメモリモジュール６０の縁部６３により外側方向（図１において、±Ｙ方向）に押し出され、それにより、図４（ｂ）に示されるように、第１側壁部材２０の弾性変形部２２が外側方向に開くように変形する。
【００３５】
メモリモジュール６０の回転が進み、メモリモジュール６０の縁部６３が第１側壁部材２０のラッチ爪２３の内側片２３ａの先端を乗り越えると、図４（ｃ）に示されるように、第１側壁部材２０の弾性変形部２２は、その弾性力により元の位置、すなわち、第２側壁部材３０の側壁部３２と接する位置に自動的に復帰する。このとき、メモリモジュール６０の円弧状凹部６２を第２側壁部材３０の円弧状突出片３４に係合させる。メモリモジュール６０の円弧状凹部６２と第２側壁部材３０の円弧状突出片３４との係合動作及び第１側壁部材２０のラッチ爪２３の押さえ動作により、メモリモジュール６０の位置決めがなされる。それにより、メモリモジュール６０の外部接点６１とコンタクト１１の接点部１１ａとは、所定の接圧で電気的に接触する状態を維持する。
【００３６】
図４（ｃ）の状態から、結合部材４０を後方（図１において、−Ｘ方向）に向かって押し込むことにより、結合部材４０の末端部４４が第２側壁部材３０の第２通路３９内に入り込む。第１側壁部材２０の係合爪２７が結合部材４０の第２係止凹部４７に係合することで、第１側壁部材２０と第２側壁部材３０とが結合する（図５（ｂ）参照）。それにより、第２側壁部材３０が、印刷回路基板５０に固定されているので、第１側壁部材２０も印刷回路基板５０に対して移動不能となり、したがって、第１側壁部材２０の弾性変形部２２の外側への変形が阻止される。結果として、メモリモジュール６０がコネクタ１に取り付けられている間に、コネクタ１が衝撃や振動を受けても、メモリモジュール６０がコネクタ１から外れることが防止される。このようにして、メモリモジュール６０のコネクタ１への取り付けが完了する。
【００３７】
次に、メモリモジュール６０をコネクタ１から取り外すには、把手４２を掴んで、図４（ｄ）又は図５（ｂ）に示される状態にある結合部材４０を、係合爪２７が第１係止凹部４６に係合するまで、前方に一杯に引き出す。結合部材４０が引き出された図４（ｃ）又は図５（ａ）の状態において、第１側壁部材２０の弾性変形部２２は、変形可能状態になっている。その後、結合部材４０の把手４２又は基端部４１を外側に開くことにより、第１側壁部材２０の弾性変形部２２も外側に開き、第１側壁部材２０のラッチ爪３２がメモリモジュール６０の縁部６３から外れる。このとき、結合部材４０が第１側壁部材２０から前方に突出し、第１側壁部材２０の長さが実質上伸びた状態になっているので、第１側壁部材２０を外側へ開くのに、第１側壁部材２０のみを開くよりも小さい力で済む。このように、第１側壁部材２０を開いた状態で、メモリモジュール６０を、取り付けるときとは逆に、コネクタ１前方斜め上方に引き上げれば、メモリモジュールを簡単に取り外すことができる。
【図面の簡単な説明】
【００３８】
【図１】本発明に係るメモリモジュール用コネクタの全体図を示す斜視図である。
【図２】図１のメモリモジュール用コネクタに装着されるメモリモジュールの斜視図である。
【図３】メモリモジュールを図１のメモリモジュール用コネクタに装着する動作を説明するための図であり、（ａ）は、メモリモジュールがコネクタのコンタクトに接触する前の状態、メモリモジュールがコンタクトと接触した直後の状態、（ｃ）は、メモリモジュールをコネクタにロックする直前の状態を示す。
【図４】メモリモジュールをコネクタに装着する動作を説明するための部分拡大図であり、（ａ）は、メモリモジュールのコネクタへのロック直前の状態、（ｂ）は、メモリモジュールに当たって、第１側壁部材が変形している状態、（ｃ）は、結合部材押し込み途中の状態、（ｄ）は、ロック完了状態を示す。
【図５】メモリモジュールが排除された、結合部材の押し込みを説明するための部分拡大斜視図であり、（ａ）は、押し込む前の状態、（ｂ）押し込み直後の状態を示す。
【図６】図１のメモリモジュール用コネクタの結合部材の斜視図である。
【図７】図１のメモリモジュール用コネクタの第１側壁部材の斜視図である。
【図８】図１のメモリモジュール用コネクタの第２側壁部材の斜視図である。
【図９】図１のメモリモジュール用コネクタのコンタクトの斜視図である。
【符号の説明】
【００３９】
１              メモリモジュール用コネクタ
１０            ハウジング
１１            コンタクト
２０            第１側壁部材
２３            ラッチ爪
２８            第１通路
３０            第２側壁部材
３４            円弧状突出片
３７            半田付け部
３９            第２通路
４０            結合部材
５０            印刷回路基板
６０            メモリモジュール
６２            円弧状凹部
【図１】
2006253021.tif 000003
【図２】
2006253021.tif 000004
【図３】
2006253021.tif 000005
【図４】
2006253021.tif 000006
【図５】
2006253021.tif 000007
【図６】
2006253021.tif 000008
【図７】
2006253021.tif 000009
【図８】
2006253021.tif 000010
【図９】
2006253021.tif 000011